(57)【要約】 【課題】フリッカー現象を除去するためのアレイ基板とこれを有する表示パネル及び表示装置を提供する。【解決手段】アレイ基板は、隣接する第１画素部と第２画素部とを含む。第１画素部は第１光を反射する第１反射部と、第２光を透過する第１透過部とを有し、第２画素部は第１反射部と異なる大きさを有し第１光を反射する第２反射部と、第１透過部と異なる大きさを有し第２光を透過する第２透過部とを有する。第１反射部と第１透過部との大きさの比は、第２反射部と第２透過部との大きさ比と異なる。これにより、ライン反転駆動の際には横線形態のフリッカー現象を除去することができ。コラム反転駆動の際には縦線形態のフリッカー現象を除去することができる。【選択図】    図１
2006106654.tif 000002
【特許請求の範囲】
【請求項１】
第１方向に形成されたスキャンラインと、第１方向と交差する第２方向に形成されたデータラインと、前記スキャンラインとデータラインによって画定され反射部と透過部をそれぞれ有する複数の画素部とを含むアレイ基板において、
第１光を反射する第１反射部と、第２光を透過する第１透過部とを有する第１画素部と、
前記第１画素部に隣接し、前記第１反射部と異なる大きさを有し前記第１光を反射する第２反射部と、前記第１透過部と異なる大きさを有し前記第２光を透過する第２透過部とを有する第２画素部と、
を含むアレイ基板。
【請求項２】
前記第１画素部と前記第２画素部は、実質的に同一の大きさを有することを特徴とする請求項１記載のアレイ基板。
【請求項３】
前記第１反射部と前記第１透過部との大きさ比は、前記第２反射部と前記第２透過部との大きさ比と異なることを特徴とする請求項１記載のアレイ基板。
【請求項４】
前記複数の画素部の全体反射部の大きさの合計と、全体透過部の大きさの合計との比は、前記第１及び第２反射部の大きさの合計と、前記第１及び第２透過部の大きさの合計との比と、実質的に同一であることを特徴とする請求項１記載のアレイ基板。
【請求項５】
前記第１画素部は、第１スキャンラインと第１データラインに接続された第１スイッチング素子をさらに含み、
前記第１反射部は、前記第１スイッチング素子に対応して形成されることを特徴とする請求項４記載のアレイ基板。
【請求項６】
前記第２画素部は、第１スキャンラインと、前記第１データラインに隣接するデータラインとに接続された第２スイッチング素子をさらに含み、
前記第２反射部は、前記第２スイッチング素子に対応して形成されることを特徴とする請求項４記載のアレイ基板。  
【請求項７】
前記第２画素部は、前記第１スキャンラインと隣接するスキャンラインと、前記第１データラインとに接続された第２スイッチング素子をさらに含み、
前記第２反射部は、前記第２スイッチング素子に対応して形成されることを特徴とする請求項４記載のアレイ基板。
【請求項８】
前記第１画素部は第１スキャンラインと、第１データラインとに接続された第１スイッチング素子をさらに含み、前記第２画素部は第２スキャンラインと、第１データラインとに接続された第２スイッチング素子をさらに含み、  
前記第１及び第２反射部は、前記第１及び第２スイッチング素子に対応して形成されることを特徴とする請求項２記載のアレイ基板。
【請求項９】
前記第２スキャンラインは、前記第１スキャンラインと隣接する直前スキャンラインであることを特徴とする請求項８記載のアレイ基板。
【請求項１０】
前記第１画素部と隣接し、前記第１反射部と異なる大きさを有し前記第１光を反射する第３反射部と、前記第１透過部と異なる大きさを有し前記第２光を透過する第３透過部とを有する第３画素部をさらに含むことを特徴とする請求項２記載のアレイ基板。
【請求項１１】
前記第３画素部は、第３スキャンラインと前記第１データラインとに接続された第３スイッチング素子を含み、
前記第３反射部は、前記第３スイッチング素子に対応して形成されることを特徴とする請求項１０記載のアレイ基板。
【請求項１２】
前記第３スキャンラインは、前記第１スキャンライン以後に形成されることを特徴とする請求項１１記載のアレイ基板。
【請求項１３】
前記第３スキャンラインは、前記第１スキャンライン以前に形成されることを特徴とする請求項１１記載のアレイ基板。
【請求項１４】
第１反射部と第１透過部とを有する第１画素部と、前記第１画素部に隣接し前記第１反射部と異なる大きさを有する第２反射部と前記第１透過部と異なる大きさを有する第２透過部とを含む第２画素部とを含む第１基板と、
液晶層と、
前記第１基板と結合されて前記液晶層を収容する第２基板と、
を含む表示パネル。
【請求項１５】
前記第２基板は、前記画素部に対応するカラーフィルターを含む請求項１４記載の表示パネル。
【請求項１６】
前記第１反射部に対応する液晶層の第１セルギャップと前記第１透過部に対応する液晶層の第２セルギャップとは、互いに異なることを特徴とする請求項１４記載の表示パネル。
【請求項１７】
前記第１セルギャップは、前記第２セルギャップより小さいことを特徴とする請求項１６記載の表示パネル。  
【請求項１８】
前記第２反射部に対応する液晶層の第３セルギャップと、前記第２透過部に対応する液晶層の第４セルギャップとは互いに異なることを特徴とする請求項１４記載の表示パネル。
【請求項１９】
前記第３セルギャップは、前記第４セルギャップより小さいことを特徴とする請求項１６記載の表示パネル。
【請求項２０】
隣接する画素部間の反射部と透過部との大きさ比は、互いに異なり、全体反射部と全体透過部との大きさ比は、前記隣接する画素部の反射部と透過部との大きさ比と、実質的に同一な複数の画素部を含む表示部と、
前記複数の画素部を駆動させる駆動信号を前記表示部に出力する駆動部と、
を含む表示装置。
【請求項２１】
前記表示部は、第１画素部と第１方向に隣接する第２画素部と、前記第１画素部と第２方向に隣接する第３画素部とを含むことを特徴とする請求項２０記載の表示装置。
【請求項２２】
前記駆動部が、前記第１画素部と前記第２画素部に第１極性のデータ信号を印加し、前記第３画素部に前記第２極性のデータ信号を印加する場合、前記第１画素部は、前記第２画素部から出射する光量より多くの光量を出射することを特徴とする請求項２１記載の表示装置。  
【請求項２３】
前記駆動部が、前記第１画素部と前記第２画素部に第１極性のデータ信号を印加し、前記第３画素部に前記第２極性のデータ信号を印加する場合、前記第１画素部は、前記第２画素部から出射する光量より小さい光量を出射することを特徴とする請求項２１記載の表示装置。
【請求項２４】
前記駆動部が、前記第１画素部と前記第３画素部に前記第１極性のデータ信号を印加し、前記第２画素部に前記第２極性のデータ信号を印加する場合、前記第１画素部は、前記第３画素部から出射する光量より多くの光量を出射することを特徴とする請求項２１記載の表示装置。
【請求項２５】
前記駆動部が、前記第１画素部と前記第３画素部に前記第１極性のデータ信号を印加し、前記第２画素部に前記第２極性のデータ信号を印加する場合、前記第１画素部は前記第３画素部から出射する光量より少ない光量を出射することを特徴とする請求項２１記載の表示装置。
【発明の詳細な説明】
【技術分野】
【０００１】
本発明はアレイ基板とこれを備える表示パネル及び表示装置に関し、より詳細にはフリッカー現象を除去するためのアレイ基板とこれを備える表示パネル及び表示装置に関する。
【背景技術】
【０００２】
一般に、低消費電力で高品位の表示が可能な液晶表示装置を実現するために反射光を用いて表示する反射−透過型液晶表示装置が使用されている。このような反射−透過型液晶表示装置は、透過モードと反射モードに対応して互いに異なるガンマ補正を適用して低消費電力で表示品質を向上させることにその目的がある。しかし、ガンマ補正の調整にも関わらず液晶表示装置の反転駆動方式による実効電圧差によるフリッカー現象を解決することはできない。
【０００３】
例えば、ライン反転駆動を遂行する場合には、極性が反転する隣接する２つのライン間の実効電圧差異によって横線形態のフリッカー現象が発生する問題点を有する。また、コラム反転駆動を遂行する場合には極性が反転する隣接する２つのコラム間の実効電圧差異によって縦線形態のフリッカー現象が発生するという問題点を有する。
【発明の開示】
【発明が解決しようとする課題】
【０００４】
本発明の技術的課題は、このような従来の問題点を解決するためのもので、本発明の第１目的は、フリッカー現象を除去するためのアレイ基板を提供することにある。
本発明の第２目的は、アレイ基板を備える表示パネルを提供することにある。
本発明の第３目的は、アレイ基板を備える表示装置を提供することにある。
【課題を解決するための手段】
【０００５】
前述した本発明の第１目的を実現するための実施形態１によるアレイ基板は、第１方向に形成されたスキャンラインと、前記第１方向と交差する第２方向に形成されたデータラインと、前記スキャンラインとデータラインによって画定され、反射部と透過部をそれぞれ有する複数の画素部とを含む。第１画素部は、第１光を反射する第１反射部と、第２光を透過する第１透過部とを有し、第２画素部は、前記第１反射部と異なる大きさを有し前記第１光を反射する第２反射部と、前記第１透過部と異なる大きさを有し前記第２光を透過する第２透過部とを有する。
【０００６】
前記第１反射部と前記第１透過部との大きさ比は、前記第２反射部と前記第２透過部との大きさ比と互いに異なることが好ましい。また、前記複数の画素部の全体反射部の大きさの合計と、全体透過部の大きさの合計との比は、前記第１及び第２反射部の大きさの合計と、前記第１及び第２透過部の大きさの合計との比と実質的に同一であることが好ましい。
【０００７】
前記した本発明の第２目的を実現するための１実施形態による表示パネルは、第１基板、第２基板及び液晶層を含む。前記第１基板は、第１反射部と第１透過部とを有する第１画素部と、前記第１画素部に隣接し前記第１反射部と異なる大きさを有する第２反射部及び前記第１透過部と異なる大きさを有する第２透過部を有する第２画素部とを含む。前記第２基板は、前記第１基板と結合されて前記液晶層を収容する。
【０００８】
望ましく、前記第１反射部に対応する液晶層の第１セルギャップと前記第１透過部に対応する液晶層の第２セルギャップとが互いに異なり、前記第２反射部に対応する液晶層の第３セルギャップと前記第２透過部に対応する液晶層の第４セルギャップとが異なることが好ましい。
前記した本発明の第３目的を実現するための１実施形態による表示装置は、表示部及び駆動部含む。前記表示部は、隣接する画素部間の反射部と透過部との大きさ比は互いに異なり、全体反射部と全体透過部との大きさの比は、前記隣接する画素部の反射部と透過部との大きさ比と実質的に同一な複数の画素部を有する。前記駆動部は前記複数の画素部を駆動させる駆動信号を前記表示部に出力する。
【０００９】
前記駆動部が前記第１画素部と前記第２画素部に第１極性のデータ信号を印加し、前記第３画素部に前記第２極性のデータ信号を印加する場合、前記第１画素部は前記第２画素部から出射する光量より多く（または少ない）の光量を出射する。前記駆動部が前記第１画素部と前記第３画素部に前記第１極性のデータ信号を印加し、前記第２画素部に前記第２極性のデータ信号を印加する場合、前記第１画素部は前記第３画素部から出射する光量より多く（または少ない）の光量を出射する。
【００１０】
このような、アレイ基板とこれを備える表示パネル及び表示装置によると、ライン反転駆動の際には横線形態のフリッカー現象を除去することができ、コラム反転駆動の際には縦線形態の現象を除去することができる。
【発明を実施するための最良の形態】
【００１１】
以下、図面を参照して本発明の望ましい１実施例をより詳細に説明する。
図１に示すように、アレイ基板はＮ個のスキャンラインとＭ個のデータラインによってＮ×Ｍ個の画素部を有する。具体的に、アレイ基板は、第１画素部１１０と、第１画素部１１０と第１方向に隣接する第２画素部１２０と、第１画素部１１０と第２方向に隣接する第３画素部１３０とを含む。
【００１２】
第１画素部１１０は、第１スイッチング素子ＴＦＴ１と、第１ストレージキャパシタ（図示せず）と、第１液晶キャパシタ（図示せず）の第１電極である第１画素電極１１７とを有する。
第１スイッチング素子ＴＦＴ１は、第１方向に形成された第１スキャンラインＳＬｎ−１と接続された第１ゲート電極１１１と、第１データラインＤＬｊ−１と接続された第１ソース電極１１３と、第１画素電極１１７と接続された第１ドレイン電極１１４を含む。第１ストレージキャパシタ（図示せず）は第１ゲート電極１１１が形成されるとき形成された第１電極（図示せず）と、第１画素電極１１７によって画定される。ストレージキャパシタの第１電極は開口率を向上させるためにリング形状に第１画素部１１７の端部に沿って形成することもできる。複数の画素部に形成されたストレージキャパシタは相互電気的に接続されるように形成される。
【００１３】
第１画素電極１１７は、第１光を反射する反射板１１８が形成された第１反射部Ｒ１と第２光を透過する第１透過部Ｔ１とを有する。ここで、第１光は自然光及びフロント光などを含み、以下では自然光を例として説明する。第２光はバックライトを含む。
第２画素部１２０は、第１画素部１１０と第１方向に隣接し、第２スイッチング素子ＴＦＴ２と第２ストレージキャパシタ（図示せず）と、第２液晶キャパシタ（図示せず）の第１電極である第２画素電極１２７とを有する。第２スイッチング素子ＴＦＴ２は、第１ゲート電極ＳＬｎ−１と接続された第２ゲート電極１２１と、第１データラインＤＬｊ−１と隣接する第２データラインＤＬｊと接続された第２ソース電極１２３と、第２画素電極１２７と接続された第２ドレイン電極１２４とを含む。第２ストレージキャパシタは、第２ゲート電極１２１が形成されるとき形成された第１電極（図示せず）と、第２画素電極１２７によって画定される。第２画素電極１２７は、第１光を反射する反射板１２８が形成された第２反射部Ｒ２及び第２光を透過する第２透過部Ｔ２を有する。
【００１４】
第１画素部１１０の第１反射部Ｒ１と第１透過部Ｔ１との大きさ比と、第２画素部１２０の第２反射部Ｒ２と第２透過部Ｔ２との大きさ比Ｒ２：Ｔ２とは異なる。反面、第１反射部Ｒ１及び第２反射部Ｒ２の大きさと、第１透過部Ｔ１及び第２透過部Ｔ２の大きさとの比Ｒ１＋Ｒ２：Ｔ１＋Ｔ２は、アレイ基板の全体反射部の大きさＥＲと、全体透過部の大きさＥＴとの比と同一である（Ｒ１＋Ｒ２：Ｔ１＋Ｔ２＝ＥＲ：ＥＴ）。
【００１５】
第３画素部１３０は、第１画素部１１０と第２方向に隣接し、第３スイッチング素子ＴＦＴ３と第３ストレージキャパシタ（図示せず）と、第３液晶キャパシタ（図示せず）の第１電極である第３画素電極１３７とを有する。第３スイッチング素子ＴＦＴ３は、第１スキャンラインＳＬｎ−１と接続された第３ゲート電極１３１と、第１データラインＤＬｊ−１と接続された第３ソース電極１３３と、第３画素電極１３７と接続された第３ドレイン電極１３４とを含む。第３ストレージキャパシタは、第３ゲート電極１３１が形成されるとき形成された第１電極（図示せず）と、第３画素電極１３７によって画定される。第３画素電極１３７は、第１光を反射する反射板１３８が形成された第３反射部Ｒ３と、第２光を透過する第３透過部Ｔ３とを有する。  
【００１６】
第１画素部１１０の第１反射部Ｒ１と第１透過部Ｔ１との大きさ比Ｒ１：Ｔ１は、第３画素部１３０の第３反射部Ｒ３と第３透過部Ｔ３との大きさ比Ｒ３：Ｔ３と異なる。反面、第１反射部Ｒ１及び第３反射部Ｒ３の大きさと、第１透過部Ｔ１及び第３透過部Ｔ３の大きさとの比Ｒ１＋Ｒ３：Ｔ１＋Ｔ３は、アレイ基板の全体反射部の大きさＥＲと、全体透過部の大きさＥＴとの比と同一である（Ｒ１＋Ｒ３：Ｔ１＋Ｔ３＝ＥＲ：ＥＴ）。
【００１７】
図２は図１のI−I’ラインに沿って切断した液晶表示パネルの断面図である。
図１及び図２に示すように、液晶表示パネルはアレイ基板１００、カラーフィルター基板２００及びアレイ基板１００とカラーフィルター基板２００との間に形成された液晶層３００を含む。
アレイ基板１００は、透明基板１０１上にゲート金属層を形成し、第１方向のスキャンラインＳＬと、スイッチング素子ＴＦＴのゲート電極１１１とを形成する。ゲート電極１１１上にチャンネル層１１２を形成する。チャンネル層１１２は活性層１１２ａ及び抵抗性接触層１１２ｂで構成される。
【００１８】
アレイ基板１００は、ソース及びドレイン金属層を形成し、第２方向のデータラインＤＬ、スイッチング素子ＴＦＴのソース及びドレイン電極１１２、１１４を形成する。ソース及びドレイン金属層上には、パッシベーション層１０３及び絶縁層１０４を形成する。絶縁層１０４は画素領域内に設けられる反射領域Ｒ１と透過領域Ｔ１に対応してパターニングされる。即ち、透過領域Ｔ１の絶縁層１０４はエッチングされ、反射領域Ｒ１の絶縁層１０４は残されるようにパターニングされる。また、絶縁層１０４の一部領域にはコンタクトホール１１６が形成される。望ましくは、反射領域１０４の絶縁層１０４の表面は反射効率を向上させるために凹凸形状にパターニングされる。
【００１９】
アレイ基板１００は、透明電極層を形成し、コンタクトホール１１６を通じてドレイン電極１１４と接続される画素電極１１７を形成する。画素電極１１７上の反射領域Ｒ１には保護層１０５が形成される。保護層１０５上には反射板１１８が形成される。即ち、反射板１１８は画素電極１１７上の反射領域Ｒ１に形成される。
画素電極１１７は、光を透過させる一種の透過電極として、インジウム錫酸化物ＩＴＯや錫酸化物ＴＯまたはインジウム亜鉛酸化物ＩＺＯが用いられる。
【００２０】
カラーフィルター基板２００は、透明基板２０１上には画素領域を画定するブラックマトリックス層（図示せず）が形成される。ブラックマトリックス層によって画定される画素領域には色画素層２０３が形成される。ブラックマトリックス層と色画素層２０３上には保護及び平坦化のための保護層（図示せず）が形成される。保護層上には共通電極層（図示せず）が形成される。
【００２１】
液晶層３００は、アレイ基板１００とカラーフィルター基板２００との間に介在され、アレイ基板１００の画素電極１１７に印加される電源とカラーフィルター基板２００の共通電極層（図示せず）に印加される電源とに応じて液晶層３００の配列角を変化させる。反射領域Ｒ１と、反射領域Ｒ１のうちコンタクトホール１１６が形成された領域と、透過領域Ｔ１にそれぞれ対応する液晶層のセルギャップは互いに異なる。ここで、反射領域Ｒ１の第１セルギャップｄ１と、コンタクトホール１１６が形成された領域の第２セルギャップｄ２と、透過領域Ｔ１の第３セルギャップｄ３とは、ｄ１＜ｄ２＜ｄ３の条件を満たす。
【００２２】
特に、液晶層３００を構成する液晶分子の異方性屈折率をΔｎにし、セルギャップをｄにするとき、反射領域Ｒ１の液晶層３００はΔｎｄ１の特性を有し、コンタクトホール１１６が形成された液晶層３００はΔｎｄ２の特性を有し、透過領域Ｔ１の液晶層３００はΔｎｄ３の特性を有する。
反射領域Ｒ１と透過領域Ｔ１に対する最適のセルギャップは液晶層３００を形成する液晶分子や液晶層３００の上下両側に設けられる光学フィルムの条件によって異なる。しかし、反射領域に対応するセルギャップｄ１は透過領域に対応するセルギャップｄ３より小さい。望ましくは、反射領域に対応するセルギャップは透過領域に対応するセルギャップの１/２程度である。
【００２３】
図３は図１のアレイ基板を含む液晶表示装置に対する概略的なブロック図である。
図３に示すように、液晶表示装置はタイミング制御部４１０、データ駆動部４２０、スキャン駆動部４３０、駆動電圧発生部４４０及び液晶パネル４５０を含む。
タイミング制御部４１０は、外部機器から入力される第１制御信号４０１に基づいて液晶表示装置の動作を制御するための第２〜第４制御信号４１２〜４１４を生成する。具体的に、第１制御信号４１０はメインクロック信号ＭＣＬＫ、水平同期信号ＨＳＹＮＣ、データイネイブル信号ＤＥ及び垂直同期信号ＶＳＹＮＣなどを含む。第２制御信号４１２はデータ駆動部４２０を制御する水平開始信号ＳＴＨ、反転信号ＲＶＳ及びロード信号ＴＰなどを含む。第３制御信号４１３はスキャン駆動部４３０を制御するスキャン開始信号ＳＴＶ、クロック信号ＣＫ及び出力イネイブル信号ＯＥなどを含む。第４制御信号４１４は駆動電圧発生部４４０を制御するメインクロック信号ＭＣＬＫ及び反転信号ＲＶＳを含む。
【００２４】
データ駆動部４２０は第２制御信号４１２に基づいて入力されるデータ信号４１１を信号処理して液晶パネル４５０に出力する。具体的に、タイミング制御部４１０は外部機器から入力されるデータ信号ＤＡＴＡ４０２をデータイネイブル信号ＤＥに基づいてフレーム単位でデータ信号４０２をデータ駆動部４２０に出力する。データ駆動部４２０はデータ信号４０２を階調電圧に変換して液晶表示パネル４５０の複数のデータラインに出力する。このとき、階調電圧は液晶表示装置の反転方式に対応して第１極性及び第１極性に反転された第２極性を有する。
【００２５】
例えば、ライン反転方式の場合、液晶パネル４５０の第１スキャンラインと接続された画素は第１極性の電圧で充電され、第１スキャンラインと隣接する第２スキャンラインと接続された画素は第２極性の電圧で充電される。コラム反転方式の場合、液晶パネル４５０の第１データラインと接続された画素は第１極性の電圧で充電され、第１データラインと隣接する第２データラインと接続された画素は第２極性の電圧で充電される。
【００２６】
スキャン駆動部４３０は第３制御信号４１３に基づいて複数のスキャン信号を生成して液晶パネル４５０に出力する。
駆動電圧発生部４４０は第４制御信号に基づいてスキャン電圧ＶＯＮ、ＶＯＦＦ４４３、共通電圧ＶＣＯＭ、ＶＳＴ４４５及び基準階調電圧４４２などを発生する。スキャン電圧４４３はスキャン駆動部４３０に提供され、共通電圧ＶＣＯＭ、ＶＳＴは液晶パネル４５０の液晶キャパシタＣＬＣ及びストレージキャパシタＣＳＴに提供され、基準階調電圧ＶＲＦＦ４４２はデータ駆動部４２０に提供される。
【００２７】
液晶パネル４５０は、複数のデータラインＤＬと、データラインＤＬと交差して配線されたスキャンラインＳＬを有し、データライン及びスキャンラインによって画定される複数の画素領域を有する。画素領域にはスイッチング素子ＴＦＴ、液晶キャパシタＣＬＣ及びストレージキャパシタＣＳＴが形成される。
また、液晶パネル４５０は反射−透過型パネルとして、反射領域ＥＲ及び透過領域ＥＴを有し、これにより、各画素内は反射部Ｒと透過部Ｔが形成される。液晶パネル４５０は、隣接する２つの画素の反射部と透過部との大きさ比は互いに異なり（Ｒ１：Ｔ１≠Ｒ２：Ｔ２）、隣接する２つの画素の反射部の大きさＲ１＋Ｒ２と透過部の大きさＴ１＋Ｔ２との大きさ比は、液晶パネル４５０の全体反射領域ＥＲと全体透過領域ＥＴとの大きさ比と同一である。即ち、Ｒ１＋Ｒ２：Ｔ１＋Ｔ２＝ＥＲ：ＥＴである。
【００２８】
図４〜図７は図３の液晶表示装置のライン反転駆動を説明するためのタイミング図である。
図３〜図７に示すように、タイミング制御部４１０は外部基板から入力されるデータ信号４０２をデータイネイブル信号ＤＥに基づいてフレーム単位でデータ信号４０２をデータ駆動部４２０に出力する。
【００２９】
データ駆動部４２０はデータ信号４０２を階調電圧に変換して液晶パネル４５０の複数のデータラインに出力する。このとき、ライン反転方式に対応して１番目のデータ１Ｌ＿ＤＡＴＡは第１極性＋を有する階調電圧のデータが出力され、２番目のデータ２＿ＤＡＴＡは第２極性−を有する階調電圧のデータが出力される。１番目のデータが１Ｌ＿ＤＡＴＡ液晶パネル４５０に出力されるとき、スキャン駆動部４３０は１番目のスキャン信号Ｓ１を１番のスキャンラインに出力して液晶パネル４５０の画素を活性化させる。
【００３０】
図８はライン駆動方式による液晶パネルの駆動を説明するための概念図である。
図８に示すように、液晶パネル４５０には第１スキャンラインＳＬ１に接続された画素Ｐ１１、Ｐ１２、…Ｐ１Ｎは第１極性＋の電圧で充電され、第１スキャンラインＳＬ１と隣接する第２スキャンラインＳＬ２に接続された画素Ｐ２１、Ｐ２２、…Ｐ２Ｍは基準電圧対比第１極性＋に反転された第２極性−の電圧で充電される。同様の方式に液晶パネル４５０は、隣接するスキャンラインに接続された画素は反転された電圧で充電されてライン反転駆動する。
【００３１】
図９は液晶表示装置が透過モードで動作する時の輝度特性図である。
図８及び図９に示すように、ローＲｏｗ方向に隣接する第１画素Ｐ１１と第２画素Ｐ１２に形成された第１及び第２反射部Ｒ１１、Ｒ１２と第１及び第２透過部Ｔ１１、Ｔ１２との大きさ比が互いに異なる（Ｒ１１：Ｔ１１≠Ｒ１２：Ｔ１２）。第１透過部Ｔ１１の大きさが第２透過部Ｔ１２の大きさより小さい。
【００３２】
従って、第１極性＋の電圧が充電される第１及び第２画素部Ｐ１１、Ｐ１２は、第１及び第２透過部Ｔ１１、Ｔ１２の大きさ比に対応して第１画素部Ｐ１１を透過する光量が相対的に第２画素部Ｐ１２を透過する光量より小さい。前述のようなデータラインが形成された方向に隣接する第１及び第２画素の輝度特性によって視認的にドット反転効果を有する。
【００３３】
図１０は液晶表示装置が反射モードで動作するときの輝度特性図である。
図８及び図１０に示すように、隣接する第１画素Ｐ１１と第２画素Ｐ１２に形成された第１及び第２反射部Ｒ１１、Ｒ１２と、第１及び第２透過部Ｔ１１、Ｔ１２との大きさ比が互いに異なる（Ｒ１１：Ｔ１１≠Ｒ１２：Ｔ１２）。第１反射部Ｒ１１の大きさが第１反射部の大きさより大きい。
【００３４】
従って、第１極性＋の電圧が充電される第１及び第２画素部Ｐ１１、Ｐ１２は、第１及び第２反射部Ｒ１１、Ｒ１２の大きさ比に対応して第１画素部Ｐ１１から反射される光量が相対的に第２画素部Ｐ１２から反射される光量より大きい。隣接する第１及び第２画素Ｐ１１、Ｐ１２の輝度特性によって視認的にドット反転効果を得る。
ここで、隣接する２つの画素の反射部の大きさＲ１１＋Ｒ１２と透過部との大きさＴ１１＋Ｔ１２の比は、液晶パネル４５０の全体の反射領域ＥＲと全体の透過領域ＥＴとの比と同一である。
【００３５】
図１１はコラム反転駆動方式による液晶パネルの駆動を示す概念図である。
図１１に示すように、液晶パネル４５０には第１データラインＤＬ１に接続された画素Ｐ１１、Ｐ１２、…ＰＮ１は第１極性＋の電圧で充電される。第１データラインＤＬ１と隣接する第２データラインＤＬ２と接続された画素Ｐ１２、Ｐ２２、…ＰＮ２は基準電圧対比第１極性＋に反転された第２極性−の電圧で充電される。同様の方式で液晶パネル４５０は、隣接するデータラインに接続された画素は反転された電圧で充電されコラム反転駆動する。
【００３６】
図１２は液晶表示装置が透過モードで動作するときの輝度特性図である。
図１１及び図１２に示すように、コラム方向に隣接する第１画素Ｐ１１と第２画素Ｐ２１に形成された第１及び第２反射部Ｒ１１、Ｒ２１と、第１及び第２透過部Ｔ１１、Ｔ２１との大きさ比が互いに異なる（Ｒ１１：Ｔ１１≠Ｒ２１：Ｔ３２）。第１透過部Ｔ１１の大きさが第２透過部Ｔ２１の大きさより小さい。
【００３７】
従って、第１極性＋の電圧が充電される第１及び第２画素部Ｐ１１、Ｐ２１は、第１及び第２透過部Ｔ１１、Ｔ２１の大きさの比に対応して第１画素部Ｐ１１を透過する光量が相対的に第２画素部Ｐ２１を透過する光量より小さい。前述のようなスキャンラインが形成された方向に隣接する第１及び第２画素Ｐ１１、Ｐ２１の輝度特性によって視認的にライン反転効果を得る。
【００３８】
図１３は液晶表示装置が反射モードで動作するときの輝度特性図である。
図１１及び図１３に示すように、コラム方向に第１画素Ｐ１１と第２画素Ｐ２１に形成された第１及び第２反射部Ｒ１１、Ｒ２１と、第１及び第２透過部Ｔ１１、Ｔ２１との大きさ比が互いに異なる（Ｒ１１：Ｔ１１≠Ｒ２１：Ｔ２１）。第１反射部Ｒ１１の大きさが第２反射部Ｒ２１の大きさより大きい。
【００３９】
従って、第１極性＋の電圧が充電される第１及び第２画素部Ｐ１１、Ｐ２１は、第１及び第２反射部Ｒ１１、Ｒ２１の大きさ比に対応して第１画素部Ｐ１１を反射する光量が相対的に第２画素部Ｐ２１を反射する光量より大きい。前述のようなスキャンラインが形成された方向に隣接する第１及び第２画素Ｐ１１、Ｐ２１の輝度特性によって視認的にライン反転効果を得る。
【００４０】
ここで、コラム方向に隣接する２つの画素の反射部の大きさＲ１１＋Ｒ２１と、透過部の大きさＴ１１＋Ｔ２１との比は、液晶パネル４５０の全体反射領域ＥＲと全体透過領域ＥＴとの比と同一である。
図１４は本発明の他の実施形態によるアレイ基板の一部分を示す平面図である。
図１４に示すように、アレイ基板は、２Ｎ個のスキャンラインとＭ/２個のデータラインを通じてＮｘＭ個の画素部を構成する。アレイ基板は第１画素部５１０と、第１画素部５１０と第１方向に隣接する第２画素部５２０と、第１画素部５１０と第２方向に隣接する第３画素部５３０とを含む。
【００４１】
第１画素部５１０は、第１スイッチング素子ＴＦＴ１と、第１ストレージキャパシタ（図示せず）と、第１液晶キャパシタ（図示せず）の第１電極である第１画素電極５１７とを有する。第１スイッチング素子ＴＦＴ１は第１方向に形成された第１スキャンラインＳＬｎと接続された第１ゲート電極５１１と、第１データラインＤＬｊと接続された第１ソース電極５１３と、第１画素電極５１７と接続された第１ドレイン電極５１４とを含む。第１ストレージキャパシタ（図示せず）は第１電極（図示せず）と、第１画素電極５１７によって画定される。ストレージキャパシタの第１電極は開口率を向上させるためにリング形状に第１画素部５１７の端部位に沿って形成されることもできる。複数の画素部に形成されたストレージキャパシタは相互に電気的に接続されるように形成される。
【００４２】
第１画素電極５１７は、第１光を反射する反射板５１８が形成された第１反射部Ｒ１と第２光を透過する第１透過部Ｔ１とを有する。ここで、第１光は自然光及びフロント光などを含みここでは自然光を例にする。また、第２光はバックライトを含む。
第２画素部５２０は、第１画素部５１０と、第１方向に隣接し第２スイッチング素子ＴＦＴ２と、第２ストレージキャパシタ（図示せず）と、第２液晶キャパシタ（図示せず）の第１電極である第２画素電極５２７とを有する。第２スイッチング素子ＴＦＴ２は第１スキャンラインＳＬｎと隣接する直前スキャンラインＳＬｎ−１と接続された第２ゲート電極５２１と、第１データラインＤＬｊと接続された第２ソース電極５２３と、第２画素電極５２７と接続された第２ドレイン電極５２４とを含む。第２ストレージキャパシタは第２ゲート電極５２１が形成されるとき形成された第１電極(図示せず)と、第２画素電極５２７によって画定される。第２画素電極５２７は、第１光を反射する反射板５２８が形成された第２反射部Ｒ２と第２光を透過する第２透過部Ｔ２を有する。
【００４３】
第１画素部５１０の第１反射部Ｒ１と第１透過部Ｔ１との大きさ比Ｒ１：Ｔ１は、第２画素部５２０の第２反射部Ｒ２と第２透過部Ｔ２との大きさ比Ｒ２：Ｔ２と互いに異なる。反面、第１反射部Ｒ１及び第２反射部Ｒ２の大きさと、第１透過部Ｔ１及び第２透過部Ｔ２大きさの比Ｒ１＋Ｒ２：Ｔ１＋Ｔ２は、アレイ基板の全体反射部の大きさＥＲと、全体透過部との大きさＥＴ比と同一である（Ｒ１＋Ｒ２：Ｔ１＋Ｔ２＝ＥＲ：ＥＴ）。
【００４４】
第３画素部５３０は第１画素部５１０と第２方向に隣接し、第３スイッチング素子ＴＦＴ３と、第３ストレージキャパシタ（図示せず）と、第３液晶キャパシタ（図示せず）の第１電極である第３画素電極５３７とを有する。第３スイッチング素子ＴＦＴ３は、第２スキャンラインＳＬｎ＋２と接続された第２ゲート電極５３１と、第１データラインＤＬｊと接続された第３ソース電極５３３と、第３画素電極５３７と接続された第３ドレイン電極５３４とを含む。第３ストレージキャパシタは第３ゲート電極５３１に形成されるとき形成された第１電極（図示せず）と、第３画素電極５３７によって画定される。第３画素電極５３７は、第１光を反射する反射板５３８が形成された第３反射部Ｒ３と、第２光を透過する第３透過部Ｔ３とを有する。
【００４５】
第１画素部５１０の第１反射部Ｒ１と第１透過部Ｔ１との大きさ比Ｒ１：Ｔ１は、第３画素部５３０の第３反射部Ｒ３と第３透過部Ｔ３との大きさ比Ｒ３：Ｔ３と互いに異なる。反面、第１反射部Ｒ１及び第３反射部Ｒ３の大きさと、第１透過部Ｔ１及び第３透過部Ｔ３の大きさとの比Ｒ１＋Ｒ３：Ｔ１＋Ｔ３は、アレイ基板の全体反射部ＥＲの大きさと、全体透過部ＥＴの大きさとの比と同一である（Ｒ１＋Ｒ３：Ｔ１＋Ｔ３＝ＥＲ：ＥＴ）。
【００４６】
また、第１〜第３反射部Ｒ１〜Ｒ３の大きさと、第１〜第３透過部Ｔ１〜Ｔ３の大きさＴ１〜Ｔ３との比は、アレイ基板の全体反射部の大きさＥＲと、全体透過部の大きさＥＴとの比と同一である（Ｒ１＋Ｒ２＋Ｒ３：Ｔ１＋Ｔ２＋Ｔ３＝ＥＲ：ＴＲ）。
図１５は図１４のアレイ基板を含む液晶表示装置のライン反転駆動を説明するための概念図である。図１３は図１２の液晶表示装置に対する輝度特性図である。
【００４７】
図１５及び図１６に示すように、ｎ−１番目のスキャンラインＳＬｎ−１及びｎ番目のスキャンラインＳＬｎに接続された画素Ｐ１１、Ｐ１２、…Ｐ１Ｍは第１極性＋の電圧で充電される。ｎ＋１番目のスキャンラインＳＬｎ＋１及びｎ＋２番目のスキャンラインＳＬｎ＋２に接続された画素Ｐ２１、Ｐ２１、…Ｐ２Ｍは基準電圧対比第１極性＋に反転された第２極性−の電圧で充電される。
【００４８】
ロー方向に隣接する第１画素Ｐ１１と第２画素Ｐ１２に形成された第１及び第２反射部Ｒ１１、Ｒ１２と、第１及び第２透過部Ｔ１１、Ｔ１２との大きさが互いに異なる（Ｒ１１：Ｔ１１≠Ｒ１２：Ｔ１２）。第１透過部Ｔ１１の大きさが第２透過部Ｔ１２の大きさより小さい。従って、第１画素部Ｐ１１を透過する光量が相対的に第２画素部Ｐ１２を透過する光量より小さい。これにより、第１及び第２画素Ｐ１１、Ｐ１２の輝度特性によって視認的にドット反転効果を得る。図１５に示された輝度特性は、液晶表示装置が透過モードで動作する場合であり、液晶表示装置が反射モードに動作する場合にも視認的なドット反転効果を得ることができる。
【００４９】
図１７は図１４のアレイ基板を含む液晶表示装置のコラム反転駆動を説明するための概念図である。図１８は図１７の液晶表示装置に対する輝度特性図である。
図１７及び図１８に示すように、コラム方向に隣接する第１画素Ｐ１１と、第２画素Ｐ２１に形成された第１及び第２反射部Ｒ１１、Ｒ２１と第１及び第２透過部Ｔ１１、Ｔ２１との大きさ比が互いに異なる（Ｒ１１：Ｔ１１≠Ｒ２１：Ｔ２１）。第１透過部Ｔ１１の大きさが第２透過部Ｔ２１の大きさより小さいので、第１画素部Ｐ１１から透過される光量が相対的に第２画素部Ｐ２１から透過される光量より小さい。従って、コラム方向に隣接する第１及び第２画素Ｐ１１、Ｐ２１の輝度特性によって視認的にライン反転効果を得る。図１５に示されたように輝度特性は、液晶表示装置が透過モードで動作する場合であり、液晶表示装置が反射モードで動作される場合にも視認的ライン反転効果を得ることができる。ここで、コラム方向に隣接する２つの画素の反射部の大きさＲ１１＋Ｒ２１と、透過部の大きさＴ１１＋Ｔ２１との比は、アレイ基板の反射領域ＥＲと全体透過領域ＥＴとの比と同一である。
【００５０】
本発明によると、隣接する第１画素と第２画素の反射領域対透過領域の比率は互いに異なる。第１画素と第２画素の反射領域の大きさ対透過領域の大きさ比は、アレイ基板の全体反射領域の大きさ対全体透過領域の大きさ比と同一である。
これにより、アレイ基板が適用された液晶表示装置のライン反転駆動の際、視認的にドット反転効果を得ることで、横線形態のフリッカー現象を防ぐことができる。また、アレイ基板が適用された液晶表示装置のコラム反転駆動の際にはライン反転効果を得ることで縦線形態のフリッカー現象を防ぐことができる。
【００５１】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００５２】
【図１】本発明の一実施形態によるアレイ基板の一部分を示す平面図である。
【図２】図１のI−I’ラインに沿って切断した液晶表示パネルの断面図である。
【図３】図１のアレイ基板を含む液晶表示装置に対する概略的ブロック図である。
【図４】図３の液晶表示装置のライン反転駆動を説明するためのタイミング図である。
【図５】図３の液晶表示装置のライン反転駆動を説明するためのタイミング図である。
【図６】図３の液晶表示装置のライン反転駆動を説明するためのタイミング図である。
【図７】図３の液晶表示装置のライン反転駆動を説明するためのタイミング図である。
【図８】図３の液晶表示装置のライン反転駆動を説明するための概念図である。
【図９】図８の液晶表示装置が透過モードで動作する場合の輝度特性図である。
【図１０】図８の液晶表示装置が反射モードで動作する場合の輝度特性図である。
【図１１】図３の液晶表示装置のコラム反転駆動を説明するための概念図である。
【図１２】図１１の液晶表示装置が透過モードで動作する場合の輝度特性図である。
【図１３】図１１の液晶表示装置が反射モードで動作する場合の輝度特性図である。
【図１４】本発明の他の実施形態によるアレイ基板の一部分を示す平面図である。
【図１５】図１４のアレイ基板を含む液晶表示装置のライン反転駆動を説明するための概念図である。
【図１６】図１５の液晶表示装置に対する輝度特性図である。
【図１７】図１４のアレイ基板を含む液晶表示装置のコラム反転駆動を説明するための概念図である。
【図１８】図１７の液晶表示装置に対する輝度特性図である。
【符号の説明】
【００５３】
１００      アレイ基板
１１０、５１０      第１画素部
１１１      第１ゲート電極
１１３      第１ソース電極
１１４      第１ドレイン電極
１１７      第１画素電極
１２０、５２０      第２画素部
１２１      第２ゲート電極
１２３      第２ソース電極
１２４      第２ドレイン電極
１２７      第２画素電極
１２８      反射板
１３０、５３０      第３画素部
１３１      第３ゲート電極
１３３      第３ソース電極
１３４      第３ドレイン電極
１３７      第３画素電極
２００      カラーフィルター基板
３００      液晶層
４５０      液晶パネル
【図１】
2006106654.tif 000003
【図２】
2006106654.tif 000004
【図３】
2006106654.tif 000005
【図４】
2006106654.tif 000006
【図５】
2006106654.tif 000007
【図６】
2006106654.tif 000008
【図７】
2006106654.tif 000009
【図８】
2006106654.tif 000010
【図９】
2006106654.tif 000011
【図１０】
2006106654.tif 000012
【図１１】
2006106654.tif 000013
【図１２】
2006106654.tif 000014
【図１３】
2006106654.tif 000015
【図１４】
2006106654.tif 000016
【図１５】
2006106654.tif 000017
【図１６】
2006106654.tif 000018
【図１７】
2006106654.tif 000019
【図１８】
2006106654.tif 000020